(57)【要約】【課題】多種多様なコンテンツ各々の再生に適する音量等の設定を自動調整することができるオーディオ装置を提供する。【解決手段】不揮発性メモリ５が、キーワードと該キーワードに対応する音量、音質、及び音場の設定データを予め記憶する。ディスク再生回路１によって読み取られたディスク情報中のデータと一致するキーワードが不揮発性メモリ５に記憶されていれば、制御回路２がそのキーワードに対応する設定データに応じた再生をディスク再生回路１及びオーディオ回路６が行うようにディスク再生回路１及びオーディオ回路６を制御する。【選択図】      図１
2004334979.tif 000002
【特許請求の範囲】
【請求項１】
記録メディアからオーディオ信号を読み取って再生する再生手段と、
前記再生手段によって再生される記録メディアの種類を判定する判定手段と、
記録メディアの種類に対応する音量、音質、及び音場のうち少なくとも１つの設定データを予め記憶する記憶手段と、
前記判定手段によって判定された記録メディアの種類に対応する設定データを前記記憶手段から読み出し、その設定データに応じた再生を前記再生手段が行うように前記再生手段を制御する制御手段と、
を備えることを特徴とするオーディオ装置。
【請求項２】
記録メディアからオーディオ信号を読み取って再生する再生手段と、
記録メディアに記録されているオーディオ信号以外の情報を読み取る読み取り手段と、
キーワードと該キーワードに対応する音量、音質、及び音場のうち少なくとも１つの設定データを予め記憶する記憶手段と、
前記読み取り手段によって読み取られた情報と前記記憶手段に記憶されているキーワードを照合する照合手段と、
前記照合手段の照合結果に基づいてキーワードが選択されると、その選択されたキーワードに対応する設定データに応じた再生を前記再生手段が行うように前記再生手段を制御する制御手段と、
を備えることを特徴とするオーディオ装置。
【請求項３】
前記照合手段の照合結果、前記読み取り手段によって読み取られた情報の中に前記記憶手段に記憶されているキーワードが含まれていない場合、前記読み取り手段によって読み取られた情報に対応するデータを外部のデータベースにアクセスして取得するデータ取得手段を備え、
前記照合手段が、前記読み取り手段によって読み取られた情報の代わりに前記データ取得手段が取得したデータを前記記憶手段に記憶されているキーワードと照合する請求項２に記載のオーディオ装置。
【請求項４】
前記データ取得手段が取得したデータを蓄積して記憶するデータ蓄積記憶手段を備え、
前記読み取り手段によって読み取られた情報に対応するデータを前記データ蓄積記憶手段がすでに記憶していれば、前記データ取得手段が外部のデータベースにアクセスせずに前記データ蓄積記憶手段にアクセスして前記読み取り手段によって読み取られた情報に対応するデータを取得する請求項３に記載のオーディオ装置。
【請求項５】
コンテンツを受信して前記コンテンツに含まれるオーディオ信号を再生する再生手段と、
前記コンテンツ中のオーディオ信号以外の情報を読み取る読み取り手段と、
キーワードと該キーワードに対応する音量、音質、及び音場のうち少なくとも１つの設定データを予め記憶する記憶手段と、
前記読み取り手段によって読み取られた情報と前記記憶手段に記憶されているキーワードを照合する照合手段と、
前記照合手段の照合結果に基づいてキーワードが選択されると、その選択されたキーワードに対応する設定データに応じた再生を前記再生手段が行うように前記再生手段を制御する制御手段と、
を備えることを特徴とするオーディオ装置。
【請求項６】
前記記憶手段及び／又は前記データ蓄積記憶手段に記憶されているデータを外部に出力する出力手段と、
外部からデータを入力してその入力したデータを前記記憶手段及び／又は前記データ蓄積記憶手段に記憶させる入力手段と、
を備える請求項１〜５のいずれかに記載のオーディオ装置。
【発明の詳細な説明】
【０００１】
【発明の属する技術分野】
本発明は、オーディオ信号を再生するオーディオ装置に関する。なお、本明細書においては、オーディオ信号とともにビジュアル信号を再生するオーディオビジュアル装置もオーディオ装置に含むものとする。したがって、オーディオ装置にはＣＤプレーヤ等のオーディオ専用装置の他にオーディオ再生機能以外の機能を有する機器例えばパーソナルコンピュータ等も含まれる。
【０００２】
【従来の技術】
現在、種々のオーディオ装置が開発され一般に普及している。例えば複数種類の記録メディア（例えば、ＤＶＤとＣＤ）それぞれからオーディオ信号を読み取って再生することができるオーディオ装置がある。
【０００３】
また、記録メディアからオーディオ信号を読み出して再生する機能とインターネット等のネットワークへの接続機能を兼ね備えたオーディオ装置（例えば、パーソナルコンピュータ）もある。かかるオーディオ装置は、記録メディアに記録されているオーディオ信号のみならず及びネットワークの接続先（例えばＷＥＢサイト）から取得したオーディオ信号も再生することができる。
【０００４】
なお、上述した記録メディアからオーディオ信号を読み出して再生する機能とインターネット等のネットワークへの接続機能を兼ね備えたオーディオ装置として、例えば特許文献１に開示されている情報提供システムが挙げられる。特許文献１に開示されている情報提供システムは、記録メディアが挿入されるとその記録メディアの所定のエリアの情報（例えばＴＯＣ情報）を用いてキーデータを生成し、そのキーデータに基づいてデータベース内の該当する記録メディアに関するデータを検索し、その検索されたデータを取得するとともに、その取得したデータにホームページアドレスがあるときにはそのホームアドレスへの接続を行い、そのアドレスに接続された情報でさらに上記記録メディアに関連したデータを取得することを特徴としている。
【０００５】
また、衛星放送やＦＭ文字多重放送などのコンテンツ配信番組（例えば音楽配信番組）を受信して配信されるコンテンツのオーディオ信号を再生するオーディオ装置がある。かかるオーディオ装置は、表示装置を備え、オーディオ信号に多重される情報（例えばアーティスト名、タイトル名、曲名等の文字情報）をその表示装置に表示するものもある。
【０００６】
なお、上述した衛星放送やＦＭ文字多重放送などのコンテンツ配信番組を受信して配信されるコンテンツのオーディオ信号を再生するとともに、表示装置を備え、オーディオ信号に多重される情報をその表示装置に表示するオーディオ装置として、例えば特許文献２に開示されているＦＭ文字多重放送受信機が挙げられる。特許文献２に開示されているＦＭ文字多重放送受信機は、ＦＭ文字多重放送で受信した情報を表示装置に表示させるとともに予め登録されたキーワードを用いてそのキーワードに関連する情報を自動的にバッファメッモリに保存することを特徴としている。
【０００７】
【特許文献１】
特開２００１−３１２４９６号公報
【特許文献２】
特開平８−３０７２９３号公報
【特許文献３】
実開平２−５５４４４号公報
【０００８】
【発明が解決しようとする課題】
上述したように現在種々のオーディオ装置が普及しており、多機能になればなるほどオーディオ装置は多種多様なコンテンツを再生することになり、その各種コンテンツに適した音量、音質、及び音場等も多種多様になる。
【０００９】
したがって、多種多様なコンテンツを再生するオーディオ装置においては、各コンテンツの再生に適した音量、音質、及び音場等にするために、音量、音質、及び音場の設定を調整する回数が増加する。そして、この音量、音質、及び音場等の調整はユーザーがコンテンツの種類に応じて手動で行っているのが一般的であり、この手動による調整がユーザーにとって煩わしかった。
【００１０】
例えば、音楽ソフトが記録されているＣＤ（以下、音楽ＣＤという）再生後に映画ソフトが記録されているＤＶＤ（以下、映画ＤＶＤという）の再生を行う場合、映画ＤＶＤの平均的な録音レベルが音楽ＣＤの平均的な録音レベルに比べて低いことから、ＣＤを再生している音量の設定のままでは通常ユーザーにはどうしても音の鳴りレベルが低く感じられてしまい、ユーザーが自分で好みのレベルまで音の鳴りレベルを上げて再生を行っているというのが実情である。
【００１１】
このように映画ＤＶＤの平均的な録音レベルが音楽ＣＤの平均的な録音レベルに比べて低い理由について説明する。映画ＤＶＤソフトでは迫力シーン等（録音レベルは高く、コンテンツの全体時間に占める割合は小さい）と台詞のシーン等（録音レベルは低く、コンテンツの全体時間に占める割合は大きい）とで録音レベルの差が大きい。そして、迫力シーン等のピークレベルでダイナミックレンジを確保する必要がある、すなわち迫力シーン等のピークレベル時でも録音レベルが歪まないようにする必要がある。このため、映画ＤＶＤの平均的な録音レベルは低めになる。一方、音楽ＣＤ等は映画ＤＶＤの迫力シーンと台詞シーンとの間にみられるような録音レベルの差があまりないため、全体の平均録音レベルは高めになる。
【００１２】
なお、特許文献３では音量及び／又は音質を自動調整するＣＤプレーヤが開示されている。しかしながら、マガジンにＣＤを収納する際に必ず演奏曲毎に音量及び／又は音質を設定しなければならないので、非常に手間が掛かるという欠点がある。また、複数種類の記録メディアを再生する機能、ネットワークに接続する機能、衛星放送やＦＭ文字多重放送を受信する機能を有することによるコンテンツの多種多様化については何ら考慮されていない。さらに、特許文献３で開示されているＣＤプレーヤでは、ユーザーが演奏曲毎の音量及び／又は音場設定情報などを登録しても、その情報はその登録した各々の再生装置での使用に限定されてしまい、せっかく蓄積や登録した情報を他の再生装置へ反映させたり、他の再生装置より情報を受け取ることができなかった。
【００１３】
また、特許文献１や特許文献２では、音量及び／又は音質の調整については何ら言及されていない。
【００１４】
本発明は、上記の問題点に鑑み、多種多様なコンテンツ各々の再生に適する音量等の設定を自動調整することができるオーディオ装置を提供することを目的とする。
【００１５】
【課題を解決するための手段】
上記目的を達成するために、本発明に係るオーディオ装置においては、記録メディアからオーディオ信号を読み取って再生する再生手段と、前記再生手段によって再生される記録メディアの種類を判定する判定手段と、記録メディアの種類に対応する音量、音質、及び音場のうち少なくとも１つの設定データを予め記憶する記憶手段と、前記判定手段によって判定された記録メディアの種類に対応する設定データを前記記憶手段から読み出し、その設定データに応じた再生を前記再生手段が行うように前記再生手段を制御する制御手段と、を備える構成とする。
【００１６】
このような構成によると、記録メディアの種類毎に音量、音質、及び音場のうちの少なくとも１つが自動調整される。例えば、記憶手段に予め記憶しておくＤＶＤの音量レベル設定をＣＤの音量レベル設定よりも大きくすると、音楽ＣＤ再生後に映画ＤＶＤの再生を行う場合でも、音の鳴りレベルが低く感じられることがなくなり、ユーザー自身が音の鳴りレベルを調整する必要がなくなる。
【００１７】
また、上記目的を達成するために、本発明に係る他のオーディオ装置は、記録メディアからオーディオ信号を読み取って再生する再生手段と、記録メディアに記録されているオーディオ信号以外の情報を読み取る読み取り手段と、キーワードと該キーワードに対応する音量、音質、及び音場のうち少なくとも１つの設定データを予め記憶する記憶手段と、前記読み取り手段によって読み取られた情報と前記記憶手段に記憶されているキーワードを照合する照合手段と、前記照合手段の照合結果に基づいてキーワードが選択されると、その選択されたキーワードに対応する設定データに応じた再生を前記再生手段が行うように前記再生手段を制御する制御手段と、を備える構成とする。
【００１８】
このような構成によると、キーワードに応じて音量、音質、及び音場のうち少なくとも１つが自動調整される。したがって、同じ種類の記録メディアであっても例えば記録しているソフトのジャンル等に応じてキーワードを設定することで音量、音質、及び音場のうち少なくとも１つを異なる設定にすることができる。
【００１９】
上記本発明に係る他のオーディオ装置が、前記照合手段の照合結果、前記読み取り手段によって読み取られた情報の中に前記記憶手段に記憶されているキーワードが含まれていない場合、前記読み取り手段によって読み取られた情報に対応するデータを外部のデータベースにアクセスして取得するデータ取得手段を更に備える。そして、前記照合手段が、前記読み取り手段によって読み取られた情報の代わりに前記データ取得手段が取得したデータを前記記憶手段に記憶されているキーワードと照合するようにしてもよい。また、前記データ取得手段が取得したデータを蓄積して記憶するデータ蓄積記憶手段を備え、前記読み取り手段によって読み取られた情報に対応するデータを前記データ蓄積記憶手段がすでに記憶していれば、前記データ取得手段が外部のデータベースにアクセスせずに前記データ蓄積記憶手段にアクセスして前記読み取り手段によって読み取られた情報に対応するデータを取得するようにしてもよい。
【００２０】
このような構成によると、読み取り手段によって読み取られた情報の中に記憶手段に記憶されているキーワードが含まれていない場合でも、外部のデータベースから読み取り手段によって読み取られた情報に対応するデータをデータ取得手段が取得し尚かつその取得したデータにキーワードに一致するデータが含まれていれば、そのキーワードに応じて音量、音質、及び音場の少なくとも１つが自動調整される。また、外部のデータベースから取得したデータはデータ蓄積記憶手段に記憶されて利用されるので、同じ記録メディアを２度目に再生するときには再度外部のデータベースにアクセスする必要がなくなる。
【００２１】
また、本発明に係る更に他のオーディオ装置は、コンテンツを受信して前記コンテンツに含まれるオーディオ信号を再生する再生手段と、前記コンテンツ中のオーディオ信号以外の情報を読み取る読み取り手段と、キーワードと該キーワードに対応する音量、音質、及び音場のうち少なくとも１つの設定データを予め記憶する記憶手段と、前記読み取り手段によって読み取られた情報と前記記憶手段に記憶されているキーワードを照合する照合手段と、前記照合手段の照合結果に基づいてキーワードが選択されると、その選択されたキーワードに対応する設定データに応じた再生を前記再生手段が行うように前記再生手段を制御する制御手段と、を備える構成とする。
【００２２】
このような構成によると、コンテンツを受信して再生する際にキーワードに応じて音量、音質、及び音場のうち少なくとも１つが自動調整される。
【００２３】
また、音量、音質、及び音場のうち少なくとも１つの設定データ入力操作の省略や複数のオーディオ装置間で情報の共有化を図る観点から、上記いずれかの構成のオーディオ装置において、前記記憶手段及び／又は前記データ蓄積記憶手段に記憶されているデータを外部に出力する出力手段と、外部からデータを入力してその入力したデータを前記記憶手段及び／又は前記データ蓄積記憶手段に記憶させる入力手段と、を備えてもよい。
【００２４】
【発明の実施の形態】
以下に本発明の一実施形態について図面を参照して説明する。本発明に係るオーディオ装置の一構成例を図１に示す。図１のオーディオ装置は、ＣＤとＤＶＤのいずれも再生可能なディスク再生回路１と、オーディオ装置全体の動作を制御する制御回路２と、ユーザー操作に基づいて制御回路２にコマンドを送る入力装置３と、表示装置４と、不揮発性メモリ５と、ディスク再生回路１から出力されるアナログオーディオ信号を処理して音量及び音質を制御するオーディオ回路６と、オーディオ回路６の出力信号に基づいて音を発するスピーカ７とを備えている。
【００２５】
そして、ディスクの種類毎の音量、音質及び音場の設定データが不揮発性メモリ５に予め記憶される。この設定データは工場製造時にプリセットされていてもよく、ユーザーが入力装置３を操作して表示装置４で入力確認を行いながら不揮発性メモリ５に記憶させるようにしてもよい。また、ディスクの種類毎の音量、音質及び音場の設定変更を可能にするために不揮発性メモリ５にはＥＥＰＲＯＭやフラッシュメモリ等の書き換え可能な不揮発性メモリを用いることが好ましい。
【００２６】
続いて、ディスクの種類毎の音量、音質及び音場の設定データが不揮発性メモリ５に予め記憶される場合における図１のオーディオ装置の再生動作について説明する。ユーザー操作によって入力装置３が再生コマンドを制御回路２に出力する。制御回路２は、入力装置３から再生コマンドを入力すると、ディスク再生回路１に再生動作を開始させる。ディスク再生回路１は、読み取った信号からディスクがＣＤかＤＶＤかを判別し、その判別結果を制御回路２に送る。制御回路２は、ディスク再生装置１によって判別されたディスクの種類に対応する音量、音質及び音場の設定データを不揮発性メモリ５から読み出し、音量及び音質の設定データをオーディオ回路６に送り、音場の設定データをディスク再生回路１に送る。そして、ディスク再生回路１は、上記判別結果に応じてＣＤ再生モードかＤＶＤ再生モードのいずれを選択し、その選択したモードでディスクから読み取った信号を制御回路２から送られる音場の設定データに基づいてデコードして、そのデコードした信号を伸長及びデジタル／アナログ変換してアナログオーディオ信号を生成する。オーディオ回路６は、ディスク回路１から送られてくるアナログオーディオ信号を制御回路２から送られる音量及び音質の設定データに応じて処理する。そして、オーディオ回路６の出力信号に基づいてスピーカ７が音を発する。
【００２７】
これにより、ディスクの種類毎に音量、音質、及び音場が自動調整される。例えば、不揮発性メモリ５に予め記憶しておくＤＶＤの音量レベル設定をＣＤの音量レベル設定よりも大きくすると、音楽ＣＤ再生後に映画ＤＶＤの再生を行う場合でも、音の鳴りレベルが低く感じられることがなくなり、ユーザー自身が音の鳴りレベルを調整する必要がなくなる。
【００２８】
しかしながら、同じ種類のディスクであっても記録しているソフトのジャンル等が異なれば、再生に適する音量、音質、及び音場の設定が異なるという問題があった。例えば、映画ＤＶＤの再生に適する音量、音質、及び音場の設定と音楽コンサートを記録しているＤＶＤ（以下、音楽ＤＶＤという）の再生に適する音量、音質、及び音場の設定とは通常一致しない。
【００２９】
そこで、このような問題点を解消するために、不揮発性メモリ５に予め記憶される音量、音質及び音場の設定データを、ディスクの種類毎の音量、音質及び音場の設定データではなくキーワード毎の音量、音質及び音場の設定データにするとよい。この設定データは工場製造時にプリセットされていてもよく、ユーザーが入力装置３を操作して表示装置４で入力確認を行いながら不揮発性メモリ５に記憶させるようにしてもよい。また、キーワード毎の音量、音質及び音場の設定変更を可能にするために不揮発性メモリ５にはＥＥＰＲＯＭやフラッシュメモリ等の書き換え可能な不揮発性メモリを用いることが好ましい。
【００３０】
不揮発性メモリ５に予め記憶されるキーワード毎の音量、音質及び音場の設定データの一例を図２に示す。ユーザーは自分の好みに応じたキーワード並びにそのキーワードに対応する音量レベル、音質特性、及び音場の種類を登録する。すなわち、ユーザーは自分の好みに応じて任意のキーワードを不揮発性メモリ５に記憶させ、それぞれのキーワードに対してユーザーの好みの音量レベル、音質特性、及び音場の種類を不揮発性メモリ５に記憶させる。なお、図２に示す登録番号▲１▼〜▲３▼はＣＤを再生する場合のキーワード並びにそのキーワードに対応する音量レベル、音質特性、及び音場の種類の設定例であり、登録番号▲４▼〜▲５▼はＤＶＤを再生する場合のキーワード並びにそのキーワードに対応する音量レベル、音質特性、及び音場の種類の設定例である。また、音質特性は分かり易くするための周波数特性イメージのグラフを示したが、実際は周波数帯域毎にレベル設定を行うようにする。
【００３１】
上述した通り、特に映画ＤＶＤを再生する場合は音楽ＣＤを再生する場合に比べて音の鳴りレベルが低く感じられてしまうので、映画ＤＶＤに関連するキーワードに対する音量レベルを音楽ＣＤ等に関連するキーワードに対する音量レベルに比べて高めに設定しておくとよい。これにより、映画ＤＶＤ再生時と音楽ＣＤ再生時の音の鳴りレベル差をユーザーに感じさせなくすることが可能となる。
【００３２】
また、音楽ＤＶＤに関連するキーワードに対する音量レベルを音楽ＣＤ等に関連するキーワードに対する音量レベルと同等に設定しておくとよい。これにより、映画ＤＶＤ再生時と音楽ＣＤ再生時と音楽ＤＶＤ再生時の音の鳴りレベル差をユーザーに感じさせなくすることが可能となる。
【００３３】
続いて、キーワード毎の音量、音質及び音場の設定データが不揮発性メモリ５に予め記憶される場合における図１のオーディオ装置の再生開始動作について図１の回路ブロック図及び図３の動作フローチャートを参照して説明する。
【００３４】
ユーザー操作によって入力装置３が再生コマンドを制御回路２に出力する。制御回路２は、入力装置３から再生コマンドを入力すると、ディスクが挿入されているかを判定する（ステップＳ１０）。ディスクが挿入されていれば（ステップＳ１０のＹｅｓ）、ディスク再生回路１は、読み取った信号から挿入されたディスクがＣＤかＤＶＤかを判別したのち、ディスク情報（ＴＯＣ情報、タイトル情報等）を読み取って制御回路２に送る（ステップＳ２０）。
【００３５】
そして、制御回路２は、不揮発性メモリ５にアクセスして不揮発性メモリ５にキーワードが記憶されているかを判定する（ステップＳ３０）。不揮発性メモリ５にキーワードが記憶されていれば（ステップＳ３０のＹｅｓ）、ディスク情報中のデータと一致するキーワードが不揮発性メモリ５に記憶されているかを判定する（ステップＳ４０）。一方、不揮発性メモリ５にキーワードが記憶されていなければ（ステップＳ３０のＮｏ）、オーディオ回路６は音量及び音質の設定を現状のまま維持し、ディスク再生装置１は音場の設定を現状のまま維持する（ステップＳ７０）。
【００３６】
ディスク情報中のデータと一致するキーワードが不揮発性メモリ５に記憶されていれば（ステップＳ４０のＹｅｓ）、制御回路２は一致するキーワードを抽出し（ステップＳ５０）、一致するキーワードに対する音量、音質、及び音場の設定データを不揮発性メモリ５から読み出して、音量及び音質の設定データをオーディオ回路６に送り、音場の設定データをディスク再生回路１に送る（ステップＳ６０）。なお、一致するキーワードが複数ある場合は、例えば登録番号の最も小さいキーワードを選択する等の方法によって一つを選ぶようにするとよい。一方、ディスク情報中のデータと一致するキーワードが不揮発性メモリ５に記憶されていなければ（ステップＳ４０のＮｏ）、オーディオ回路６は音量及び音質の設定を現状のまま維持し、ディスク再生回路１は音場の設定を現状のまま維持する（ステップＳ７０）。
【００３７】
以上の動作ののちにオーディオ信号の再生が開始される（ステップＳ８０）。すなわち、ディスク再生回路１が、上記判別の結果に応じてＣＤ再生モードかＤＶＤ再生モードのいずれを選択し、その選択したモードでディスクから読み取った信号を制御回路２から送られる音場の設定データに基づいてデコードして、そのデコードした信号を伸長及びデジタル／アナログ変換してアナログオーディオ信号を生成する。そして、オーディオ回路６が、ディスク再生回路１から送られてくるアナログオーディオ信号を音量及び音質が設定通りになるように処理する。そして、オーディオ回路６の出力信号に基づいてスピーカ７が音を発する。以上の一連の動作が行われることによって、オーディオ装置の再生開始動作が終了する。
【００３８】
図１のオーディオ装置が上記再生開始動作を行うことによって、キーワード毎に音量、音質、及び音場が自動調整され、同じ種類のディスクであっても例えば記録しているソフトのジャンル等に応じてキーワードを設定することで異なる音量、音質、及び音場の設定にすることができる。しかしながら、ディスク情報にキーワードに対応するデータが存在しない場合、すなわちディスク情報が総再生時間、トラック毎の再生時間等のキーワードに対応しないデータのみによって構成される場合には、キーワードに応じて音量、音質、及び音場が自動調整されないという問題があった。
【００３９】
このような問題点を解決することができるオーディオ装置の一構成例を図４に示す。なお、図４において図１と同一の部分には同一の符号を付し、詳細な説明を省略する。
【００４０】
図４のオーディオ装置は、図１のオーディオ装置に新たに送受信回路８と、ＥＥＰＲＯＭやフラッシュメモリ等の書き換え可能な不揮発性メモリである受信データ蓄積メモリ９とが設けられた構成である。送受信回路８はＬＡＮ等のネットワークを介して外部のデータベースにアクセスできる回路である。また、不揮発性メモリ５にキーワード毎の音量、音質及び音場の設定が予め記憶される。
【００４１】
続いて、図４のオーディオ装置の再生開始動作について図４の回路ブロック図及び図５の動作フローチャートを参照して説明する。なお、図５において図３と同一のステップには同一の符号を付す。
【００４２】
ユーザー操作によって入力装置３が再生コマンドを制御回路２に出力する。制御回路２は、入力装置３から再生コマンドを入力すると、ディスクが挿入されているかを判定する（ステップＳ１０）。ディスクが挿入されていれば（ステップＳ１０のＹｅｓ）、ディスク再生回路１は、読み取った信号から挿入されたディスクがＣＤかＤＶＤかを判別したのち、ディスク情報（ＴＯＣ情報、タイトル情報等）を読み取って制御回路２に送る（ステップＳ２０）。
【００４３】
そして、制御回路２は、不揮発性メモリ５にアクセスして不揮発性メモリ５にキーワードが記憶されているかを判定する（ステップＳ３０）。不揮発性メモリ５にキーワードが記憶されていれば（ステップＳ３０のＹｅｓ）、ディスク情報中のデータと一致するキーワードが不揮発性メモリ５に記憶されているかを判定する（ステップＳ４０）。一方、不揮発性メモリ５にキーワードが記憶されていなければ（ステップＳ３０のＮｏ）、オーディオ回路６は音量及び音質の設定を現状のまま維持し、ディスク再生回路１は音場の設定を現状のまま維持する（ステップＳ７０）。
【００４４】
ディスク情報中のデータと一致するキーワードが不揮発性メモリ５に記憶されていれば（ステップＳ４０のＹｅｓ）、制御回路２は一致するキーワードを抽出し（ステップＳ５０）、一致するキーワードに対する音量、音質、及び音場の設定データを不揮発性メモリ５から読み出して、音量及び音質の設定データをオーディオ回路６に送り、音場の設定データをディスク再生回路１に送る（ステップＳ６０）。なお、一致するキーワードが複数ある場合は、例えば登録番号の最も小さいキーワードを選択する等の方法によって一つを選ぶようにするとよい。一方、ディスク情報中のデータと一致するキーワードが不揮発性メモリ５に記憶されていなければ（ステップＳ４０のＮｏ）、ディスク情報に対応する受信データが受信データ蓄積メモリ９に記録されているかを判定する（ステップＳ４１）。
【００４５】
ディスク情報に対応する受信データが受信データ蓄積メモリ９に記録されていれば（ステップＳ４１のＹｅｓ）、後述するステップＳ４５に移行する。一方、ディスク情報に対応する受信データが受信データ蓄積メモリ９に記録されていなければ（ステップＳ４１のＮｏ）、送受信回路８がネットワークに接続されて送受信可能であるかを制御回路２が判定する（ステップＳ４２）。
【００４６】
送受信回路８が送受信可能であれば（ステップＳ４２のＹｅｓ）、送受信先のデータベースにディスク情報に対応するデータがあるかを制御回路２が判定する（ステップＳ４３）。例えばディスク情報がディスク総再生時間及び各トラック再生時間であり、送受信先のデータベースの個々のデータがディスク総再生時間及び各トラック再生時間に対するアルバム名、アーティスト名、及び曲名である場合、「送受信先のデータベースにディスク情報に対応するデータがある」とは、ディスク情報のディスクの総再生時間及び各トラック再生時間と送受信先のデータベースの一データのディスク総再生時間及び各トラック再生時間とが一致するこという。一方、送受信回路８が送受信可能でなければ（ステップＳ４２のＮｏ）、オーディオ回路６は音量及び音質の設定を現状のまま維持し、ディスク再生回路１は音場の設定を現状のまま維持する（ステップＳ７０）。
【００４７】
そして、ステップＳ４３の判定の結果、送受信先のデータベースにディスク情報に対応するデータがあれば（ステップＳ４３のＹｅｓ）、送受信先のデータベースからディスク情報に対応するデータを受信して受信データ蓄積メモリ９に保存し（ステップＳ４４）、後述するステップＳ４５に移行する。
【００４８】
一方、送受信先のデータベースにディスク情報に対応するデータがなければ（ステップＳ４３のＮｏ）、オーディオ回路６は音量及び音質の設定を現状のまま維持し、ディスク再生回路１は音場の設定を現状のまま維持する（ステップＳ７０）。
【００４９】
ステップＳ４５では、受信したデータ中のデータと一致するキーワードが不揮発性メモリ５に記憶されているかを判定する。
【００５０】
受信したデータ中のデータと一致するキーワードが不揮発性メモリ５に記憶されていれば（ステップＳ４５のＹｅｓ）、制御回路２は一致するキーワードを抽出し（ステップＳ５０）、一致するキーワードに対する音量、音質、音場の設定データを不揮発性メモリ５から読み出して、音量及び音質の設定データをオーディオ回路６に贈り、音場の設定データをディスク再生回路１に送る（ステップＳ６０）。なお、一致するキーワードが複数ある場合は、例えば登録番号の最も小さいキーワードを選択する等の方法によって一つを選ぶようにするとよい。一方、受信したデータ中のデータと一致するキーワードが不揮発性メモリ５に記憶されていなければ（ステップＳ４５のＮｏ）、オーディオ回路６は音量及び音質の設定を現状のまま維持し、ディスク再生回路１は音場の設定を現状のまま維持する（ステップＳ７０）。
【００５１】
以上の動作ののちにオーディオ信号の再生が開始する（ステップＳ８０）。すなわち、ディスク再生回路１が、上記判別の結果に応じてＣＤ再生モードかＤＶＤ再生モードのいずれを選択し、その選択したモードでディスクから読み取った信号を制御回路２から送られる音場の設定データに基づいてデコードして、そのデコードした信号を伸長及びＤ／Ａ変換してアナログオーディオ信号を生成する。そして、オーディオ回路６が、ディスク再生回路１から送られてくるアナログオーディオ信号を音量及び音質の設定に応じて処理する。そして、オーディオ回路６の出力信号に基づいてスピーカ７が音を発する。以上の一連の動作が行われることによって、オーディオ装置の再生開始動作が終了する。
【００５２】
図４のオーディオ装置がこのような再生開始動作を行うことにより、ディスク情報にキーワードに対応するデータがない場合でも、送受信先のデータベースからディスク情報に対応するデータを受信でき尚かつその受信データにキーワードに一致するデータが含まれていれば、そのキーワードに応じて音量、音質、及び音場が自動調整される。また、送受信先のデータベースから受信したデータは受信データ蓄積メモリ９に保存されて利用されるので（ステップＳ４１及びＳ４４参照）、同じディスクを２度目に再生するときには再度外部のデータベースにアクセスする必要がなくなる。
【００５３】
そして、図４のオーディオ装置は、送受信回路８を備えているので、例えば外部の音楽配信サイトや音楽配信番組から音楽コンテンツを受信して再生することができる。なお、ＷＥＢサイト等からコンテンツを受信する場合は送受信回路８をＬＡＮ等のネットワークを介してＷＥＢサイトなどにアクセスできる回路とし、衛星放送のコンテンツ配信番組からコンテンツを受信する場合は送受信回路８を衛星放送受信回路とし、ＦＭ文字多重放送のコンテンツ配信番組からコンテンツを受信する場合は送受信回路８をＦＭ文字多重放送受信回路とする。このときの受信再生開始動作について図４の回路ブロック図及び図６の動作フローチャートを参照して説明する。
【００５４】
ユーザー操作によって入力装置３が受信再生コマンドを制御回路２に出力する。制御回路２は、入力装置３から受信再生コマンドを入力すると、送受信回路８が外部の音楽配信サイトや音楽配信番組から音楽コンテンツを受信し、その音楽コンテンツが受信データ蓄積メモリ９に記録される（Ｓ１１０）。
【００５５】
続くステップＳ１２０において、制御回路２は、不揮発性メモリ５にアクセスして不揮発性メモリ５にキーワードが記憶されているかを判定する（ステップＳ１２０）。不揮発性メモリ５にキーワードが記憶されていれば（ステップＳ１２０のＹｅｓ）、音楽コンテンツの中に音楽情報（再生時間、アーティスト名、曲名等）が有るか、すなわち音楽コンテンツが音楽情報とオーディオデータとによって構成されているかを制御回路２が受信データ蓄積メモリ９にアクセスして判定する（ステップＳ１３０）。一方、不揮発性メモリ５にキーワードが記憶されていなければ（ステップＳ１２０のＮｏ）、オーディオ回路６は音量及び音質の設定を現状のまま維持し、送受信回路８は音場の設定を現状のまま維持する（ステップＳ１７０）。
【００５６】
そして、ステップＳ１３０における判定の結果、音楽コンテンツの中に音楽情報が有れば（ステップＳ１３０のＹｅｓ）、音楽情報中のデータと一致するキーワードが不揮発性メモリ５に記憶されているかを制御回路２が判定する（ステップＳ１４０）。一方、音楽コンテンツの中に音楽情報がなければ（ステップＳ１３０のＮｏ）、オーディオ回路６は音量及び音質の設定を現状のまま維持し、送受信回路８は音場の設定を現状のまま維持する（ステップＳ１７０）。
【００５７】
そして、ステップＳ１４０における判定の結果、音楽情報中のデータと一致するキーワードが不揮発性メモリ５に記憶されていれば（ステップＳ１４０のＹｅｓ）、制御回路２は一致するキーワードを抽出し（ステップＳ１５０）、一致するキーワードに対する音量、音質、及び音場の設定データを不揮発性メモリ５から読み出して、音量及び音質の設定データをオーディオ回路６に送り、音場の設定データを送受信回路８に送る（ステップＳ１６０）。なお、一致するキーワードが複数ある場合は、例えば登録番号の最も小さいキーワードを選択する等の方法によって一つを選ぶようにするとよい。一方、音楽情報中のデータと一致するキーワードが不揮発性メモリ５に記憶されていなければ（ステップＳ１４０のＮｏ）、オーディオ回路６は音量及び音質の設定を現状のまま維持し、送受信回路８は音場の設定を現状のまま維持する（ステップＳ１７０）。
【００５８】
以上の動作ののちにオーディオ信号の再生が開始する（ステップＳ１８０）。すなわち、送受信回路８が、受信した信号を制御回路２から送られる音場の設定データに基づいてデコードして、そのデコードした信号を伸長及びデジタル／アナログ変換してアナログオーディオ信号を生成する。そして、オーディオ回路６が、送受信回路８から送られてくるアナログオーディオ信号を音量及び音質の設定に応じて処理する。そして、オーディオ回路６の出力信号に基づいてスピーカ７が音を発する。以上の一連の動作が行われることによって、オーディオ装置の受信再生開始動作が終了する。
【００５９】
これにより、コンテンツを受信して再生する際にもキーワードに応じて音量、音質、及び音場が自動調整される。
【００６０】
音量、音質、及び音場の設定データ入力操作の省略や複数のオーディオ装置間で情報の共有化を図る観点から、図４のオーディオ装置に新たにデータ入出力装置１０を付加してもよい。このような構成のオーディオ装置を図７に示す。なお、図７において図４と同一の部分には同一の符号を付し詳細な説明を省略する。
【００６１】
図７のオーディオ装置において、不揮発性メモリ５に記憶されているキーワードに対応する音量、音質、及び音場の設定データ並びに／又は受信データ蓄積メモリ９に保存されているディスク情報や音楽コンテンツ等の受信データとをデータ入出力装置１０が外部に出力する。また、キーワードに対応する音量、音質、及び音場の設定データ並びに／又はディスク情報や音楽コンテンツ等の受信データをデータ入出力装置１０が外部から入力し、キーワードに対応する音量、音質、及び音場の設定データを不揮発性メモリ５に記憶し、ディスク情報や音楽コンテンツ等の受信データを受信データ蓄積メモリ９に保存する。
【００６２】
図７のオーディオ装置が複数有る場合、１台に対して音量、音質、及び音場の設定データ入力操作を行えば、その１台から他のオーディオ装置にキーワードに対応する音量、音質、及び音場の設定データを送ることができるので、音量、音質、及び音場の設定データ入力操作を省略することができる。また、図７のオーディオ装置が複数有る場合、個々のオーディオ装置がまだ自己が保存していないディスク情報や音楽コンテンツ等の受信データを他のオーディオ装置から取得することができるので、複数のオーディオ装置において情報の共通化を図ることができる。
【００６３】
データ入出力装置１０の具体例としては、フレキシブルディスク等の書き換え可能な記録メディアを駆動するドライブ装置が挙げられる。この場合、記録メディアを介して複数のオーディオ装置間でデータのやり取りが行われる。
【００６４】
また、データ入出力装置１０をネットワークに接続できる送受信回路にしてもよい。この場合ネットワークを介して複数のオーディオ装置間で直接データのやり取りが行われてもよく、個々のオーディオ装置から出力されるデータがサーバのデータベースにアップロードされてデータが集中管理され、そのデータベースから個々のオーディオ装置が必要なデータを取得するようにしてもよい。
【００６５】
なお、本実施形態ではディスクからオーディオ信号を読み出して再生するときに１枚のディスクに記録されている全てのコンテンツ（音楽等）で同じ音量、音質、及び音場の設定データを用いたが、コンテンツ毎或いは複数のコンテンツから成るグループ毎に音量、音質、及び音場の設定が自動調整されるようにしてもよい。これにより、例えば１枚のディスクに記録されている複数のコンテンツの中でユーザーが特に気に入っているコンテンツのみ音量レベルを高くすることが可能となる。また、本実施形態では、音量、音質、及び音場全てが自動調整されるようにしたが、音量、音質、音場のうち一つ又は二つが自動調整されるようにしてもよい。また、本実施形態では、記録メディアとしてＣＤとＤＶＤを用いたが、ＣＤ及びＤＶＤ以外のディスクやディスク以外の記録メディアを用いても構わない。
【００６６】
【発明の効果】
本発明によると、多種多様なコンテンツ各々の再生に適する音量等の設定を自動調整することができるオーディオ装置を実現することができる。
【図面の簡単な説明】
【図１】本発明に係るオーディオ装置の一構成例を示す図である。
【図２】図１に示すオーディオ装置の不揮発性メモリが予め記憶する音量等のデータの一例を示す図である。
【図３】図１に示すオーディオ装置の動作フローチャートである。
【図４】本発明に係るオーディオ装置の他の構成例を示す図である。
【図５】図４に示すオーディオ装置のディスク再生時の動作フローチャートである。
【図６】図４に示すオーディオ装置の音楽コンテンツ受信再生時の動作フローチャートである。
【図７】本発明に係るオーディオ装置の更に他の構成例を示す図である。
【符号の説明】
１  ディスク再生回路
２  制御回路
３  入力装置
４  表示装置
５  不揮発性メモリ
６  オーディオ回路
７  スピーカ
８  送受信回路
９  受信データ蓄積メモリ
１０  データ入出力装置
【図１】
2004334979.tif 000003
【図２】
2004334979.tif 000004
【図３】
2004334979.tif 000005
【図４】
2004334979.tif 000006
【図５】
2004334979.tif 000007
【図６】
2004334979.tif 000008
【図７】
2004334979.tif 000009